(57)【要約】【課題】  人体検知センサを用いることなく店内各所の客数を把握し、それに応じた空調装置の制御ができるようにする。【解決手段】  客の注文を入力したオーダー入力端末から注文データを管理コンピュータ６に送信し、該管理コンピュータ６が、注文データに基づいて客の来店状況を判断する。そして、店舗の各客室Ｒに空調装置１〜５が設置されている場合、オーダー入力端末で注文内容と共に客室番号を入力し、管理コンピュータ６は、オーダー入力端末から注文内容と客室番号とを受信し、該当する客室の設定温度を、客が在室するとき用の設定温度に変更する。例えば、冷房時なら、客が居ない客室では設定温度を高くして電力を節約し、客が入ったら、設定温度を低めにして客室の室温が快適になるようにする。【選択図】        図１
2005180724.tif 000002
【特許請求の範囲】
【請求項１】
店舗内に設置された空調装置を制御する店舗空調制御装置であって、
客の注文を入力したオーダー入力端末から注文データを管理コンピュータが受信し、該管理コンピュータが、前記注文データに基づいて客の来店状況を判定し、前記空調装置の制御に反映させることを特徴とする店舗空調制御装置。
【請求項２】
前記管理コンピュータが、前記注文データに基づいて前記空調装置の設定温度を決定することを特徴とする請求項１に記載の店舗空調制御装置。
【請求項３】
店舗の各客室毎に設置された空調装置を制御する請求項２に記載の店舗空調制御装置であって、
前記オーダー入力端末で注文内容と共に客室識別情報を入力し、前記管理コンピュータは、オーダー入力端末から注文内容と客室識別情報とを受信し、該当する客室の設定温度を、客が在室するとき用の設定温度に変更することを特徴とする店舗空調制御装置。
【請求項４】
店舗のレジスターと前記管理コンピュータとを接続し、管理コンピュータは、レジスターから会計が終了した客室の通知を受けて、前記設定温度を元に戻すことを特徴とする請求項３に記載の店舗空調制御装置。
【請求項５】
間仕切りがない店舗内各所に設置された複数の空調装置を制御する請求項２に記載の店舗空調制御装置であって、
前記オーダー入力端末で注文内容と共にテーブル番号を入力し、前記管理コンピュータは、オーダー入力端末から注文内容とテーブル番号とを受信し、受信したテーブル番号のテーブル周辺に設置されている空調装置の設定温度を、客が着席しているとき用の設定温度に変更することを特徴とする店舗空調制御装置。
【請求項６】
複数の温度センサをそれぞれ異なるテーブルの近傍に設置して前記管理コンピュータに接続し、該温度センサの出力に基づいて前記設定温度を調整することを特徴とする請求項５に記載の店舗空調制御装置。
【請求項７】
店舗のレジスターと前記管理コンピュータとを接続し、管理コンピュータは、レジスターから会計が終了したテーブルの通知を受けて、該当する空調装置の周辺にある他のテーブルにも客がいないとき、当該空調装置の温度設定を元に戻すことを特徴とする請求項５乃至７のいずれかに記載の店舗空調制御装置。
【請求項８】
前記オーダー入力端末から受信した注文内容に応じて前記設定温度を調整することを特徴とする請求項２乃至７のいずれかに記載の店舗空調制御装置。
【発明の詳細な説明】
【技術分野】
【０００１】
本発明は、居酒屋，焼肉店のような店舗に設置された空調装置を制御するための店舗空調制御装置に関するものである。
【背景技術】
【０００２】
居酒屋，焼肉店等、店内に多数の客用テーブルを具えた店舗では、店内を空調する空調装置を店内各所に具え、空調装置に設けた温度センサの出力に基づいて空調装置を制御して、店内が快適温度になるようにしている。
【０００３】
ところが、店内では、日によって、また、時間によって、客数も店内の客分布も変動する。その結果、上記のようにして空調装置の制御を行っても、冷房時には、客が多くいるエリアでは空調がきかずに温度が高くなり、客がいないエリアでは反対に空調がききすぎて低くなるというように、店内の温度分布が不均一になる。
【０００４】
一方、室内にいる人を検知し、室内に人が居るか居ないかに応じて空調装置の制御を変えることにより、最適かつ効率的な空調を行うようにした技術が提案されている。店舗においてもそのような技術を採用して、店内各部で客の有無を検出し、その検出結果に応じて店内各所に設けた空調装置の制御を変えるようにすれば、最適かつ効率的な空調を行うことができる。
【０００５】
なお、このような空調制御装置に関連する従来の文献としては次のようなものがある。
【特許文献１】特開平１１−１０８４１６号公報（Ｆ２４Ｆ  １１／０２）
【特許文献２】特開２００１−２４１７３１号公報（Ｆ２４Ｆ  １１／０２）
【発明の開示】
【発明が解決しようとする課題】
【０００６】
しかしながら、店内各部で客の有無を検出し、その検出結果に応じて店内各所に設けた空調装置の制御を変えるようにするには、店内各所に人体検知センサを設け、それらと空調制御装置とを接続する必要があって、コストがかかるという問題点があった。
【０００７】
本発明は、そのような問題点に鑑み、人体検知センサを用いることなく店内各所の客数を把握し、それに応じた空調装置の制御ができるようにすることを目的とするものである。
【課題を解決するための手段】
【０００８】
前記課題を解決するため、請求項１に記載の店舗空調制御装置は、店舗内に設置された空調装置を制御する店舗空調制御装置であって、客の注文を入力したオーダー入力端末から注文データを管理コンピュータが受信し、該管理コンピュータが、前記注文データに基づいて客の来店状況を判定し、前記空調装置の制御に反映させることを特徴とする。
【０００９】
また、請求項２に記載の店舗空調制御装置は、前記管理コンピュータが、前記注文データに基づいて前記空調装置の設定温度を決定することを特徴とする。
【００１０】
また、請求項３に記載の店舗空調制御装置は、店舗の各客室毎に設置された空調装置を制御する請求項２に記載の店舗空調制御装置であって、前記オーダー入力端末で注文内容と共に客室識別情報を入力し、前記管理コンピュータは、オーダー入力端末から注文内容と客室識別情報とを受信し、該当する客室の設定温度を、客が在室するとき用の設定温度に変更することを特徴とする。
【００１１】
また、請求項４に記載の店舗空調制御装置は、店舗のレジスターと前記管理コンピュータとを接続し、管理コンピュータは、レジスターから会計が終了した客室の通知を受けて、前記設定温度を元に戻すことを特徴とする。
【００１２】
また、請求項５に記載の店舗空調制御装置は、間仕切りがない店舗内各所に設置された複数の空調装置を制御する請求項２に記載の店舗空調制御装置であって、前記オーダー入力端末で注文内容と共にテーブル番号を入力し、前記管理コンピュータは、オーダー入力端末から注文内容とテーブル番号とを受信し、受信したテーブル番号のテーブル周辺に設置されている空調装置の設定温度を、客が着席しているとき用の設定温度に変更することを特徴とする。
【００１３】
また、請求項６に記載の店舗空調制御装置は、複数の温度センサをそれぞれ異なるテーブルの近傍に設置して前記管理コンピュータに接続し、該温度センサの出力に基づいて前記設定温度を調整することを特徴とする。
【００１４】
また、請求項７に記載の店舗空調制御装置は、店舗のレジスターと前記管理コンピュータとを接続し、管理コンピュータは、レジスターから会計が終了したテーブルの通知を受けて、該当する空調装置の周辺にある他のテーブルにも客がいないとき、当該空調装置の温度設定を元に戻すことを特徴とする。
【００１５】
また、請求項８に記載の店舗空調制御装置は、前記オーダー入力端末から受信した注文内容に応じて前記設定温度を調整することを特徴とする。
【発明の効果】
【００１６】
本発明の店舗空調制御装置は、次のような効果を奏する。
【００１７】
すなわち、請求項１に記載の店舗空調制御装置は、客の注文を入力したオーダー入力端末から注文データを管理コンピュータが受信し、該管理コンピュータが、前記注文データに基づいて客の来店状況を判定し、前記空調装置の制御に反映させるようにしたので、人体検知センサを用いることなく来店客数を把握し、それに応じた空調装置の制御ができるようになる。
【００１８】
また、請求項２に記載の店舗空調制御装置は、管理コンピュータが、注文データに基づいて空調装置の設定温度を決定するようにしたので、人体検知センサを用いることなく来店客数を把握し、それに応じた空調装置の温度制御ができるようになる。
【００１９】
また、請求項３に記載の店舗空調制御装置は、店舗の各客室毎に設置された空調装置を制御する場合に、オーダー入力端末で注文内容と共に客室識別情報を入力し、管理コンピュータは、オーダー入力端末から注文内容と客室識別情報とを受信し、該当する客室の設定温度を、客が在室するとき用の設定温度に変更するようにしてので、各客室に人体検知センサを設けることなく各客室の客数を把握し、それに応じて各客室の空調装置の温度制御ができるようになる。
【００２０】
また、請求項４に記載の店舗空調制御装置は、客室の客が帰ったときは、レジスターからの通知を受けて設定温度を元に戻すようにしたので、客がいなくなった客室で必要以上の空調を無駄に続けることがなくなる。
【００２１】
また、請求項５に記載の店舗空調制御装置は、間仕切りがない店舗内各所に設置された複数の空調装置を制御する場合に、オーダー入力端末で注文内容と共にテーブル番号を入力し、管理コンピュータは、オーダー入力端末から受信したテーブル番号のテーブル周辺に設置されている空調装置の設定温度を、客が着席しているとき用の設定温度に変更するようにしたので、各客室に人体検知センサを設けることなく各客室の客数を把握し、それに応じて各客室の空調装置の温度制御ができるようになる。
【００２２】
また、請求項６に記載の店舗空調制御装置は、複数の温度センサをそれぞれ異なるテーブルの近傍に設置して管理コンピュータに接続し、該温度センサの出力に基づいて設定温度を調整するようにしたので、テーブル付近の温度をより高精度に制御できる。
【００２３】
また、請求項７に記載の店舗空調制御装置は、客が帰ったときは、レジスターからの通知を受けて、該当する空調装置の周辺にある他のテーブルにも客がいないとき、当該空調装置の温度設定を元に戻すようにしたので、客がいなくなったエリアで必要以上の空調を無駄に続けることがなくなる。
【００２４】
また、請求項８に記載の店舗空調制御装置は、オーダー入力端末から受信した注文内容に応じて設定温度を調整するようにしたので、熱源を使用するメニューを注文した場合でも、それを考慮した最適な温度制御ができる。
【発明を実施するための最良の形態】
【００２５】
以下、本発明の実施例を図面に基づいて詳細に説明する。
【実施例１】
【００２６】
図１は、第１実施例を示す図である。図１において、１〜５は、飲食店内の各客室Ｒ１〜Ｒ５に設置された空調装置、６は、客からの注文を入力するオーダー入力端末７から注文データを受信して管理する管理コンピュータ、８は、レジスターである。また、Ｔ１〜Ｔ５は、テーブルである。
【００２７】
空調装置１〜５は、内蔵された温度センサ（図示せず）により各客室Ｒ１〜Ｒ５の室内温度を検知しながら、室内温度が快適に保たれるように個別に制御される。その際、管理コンピュータ６によって設定温度が与えられ、その設定温度の上下所定の範囲内に室内温度が保たれるように制御される。
【００２８】
ところで、飲食店では、常時、客の出入りがあり、それぞれの客室Ｒ１〜Ｒ５では、客が入っていたり、入っていなかったりする。客が入っている客室では、夏場であれば空調の効きが悪くなり、客が入っていない客室では、空調を利かせておくのは無駄になる。そこで、客室に客が入っているか否かで、空調の設定を変えることが考えられるが、その場合、客室に客が入っているか否かを検知する手段が必要になる。
【００２９】
その手段として、本発明では、客からの注文を入力するオーダー入力端末７のデータを利用することとした。オーダー入力端末７は、携帯式の端末装置で、客が来店してテーブルに着いた後、店員が客から注文を聞きながらそのボタンを操作して、注文の内容と客の人数、さらに、客室番号あるいはテーブル番号等、客室を識別できる情報を入力するものである。オーダー入力端末７で入力したデータは、無線で管理コンピュータ６に送信し、料理等が用意される。
【００３０】
また、管理コンピュータ６は、各客室Ｒ１〜Ｒ５に設置された空調装置１〜５と通信線で接続されており、また、図２に示すような客室に客が居ないときと居るときの設定温度を保持しており、各空調装置１〜５の温度設定ができるようにしている。なお、これらの設定値は、必要に応じて変更できる。
【００３１】
空調装置の制御は次のようにして行う。すなわち、管理コンピュータ６は、最初、どの客室にも客はいないため、客なし時の設定温度を各空調装置１〜５に送る。その結果、各空調装置１〜５は、冷房時であれば、標準より高めの室温になるように運転され、暖房時であれば、標準より低めの室温になるように運転されて、無駄な電力消費を抑制する。一方、客が来店したときは、客室に案内して注文を取り、オーダー入力端末７に入力すると、管理コンピュータ６は、オーダー入力端末７から注文データを受信し、その中から客室番号（あるいは、テーブル番号）を読み取って、その客室に客が入ったことを認識する。
【００３２】
そこで、該当する客室の空調装置に対して、客あり時の設定温度を送信する。客が、例えば、客室Ｒ１に入った場合、冷房時であれば、図３に示すように、客室Ｒ１に設置されている空調装置１の設定温度が２５℃に変わり、その他は２８℃のままとなる。その結果、客室Ｒ１の室温は、客がいない他の客室より強力に冷房されてすみやかに適温になる。
【００３３】
そして、客が会計を済ませて帰ったときは、レジスター８から管理コンピュータ６に、その客室の客が帰ったことを通知する。そして、それを受信した管理コンピュータ６は、該当する空調装置の温度設定を元の客なしの時の値に戻す。そのようにすれば、客がいなくなった客室の空調をそのまま続けるという無駄がなくなる。
【実施例２】
【００３４】
図４は、第２実施例を示す図である。この実施例は、仕切のない広い飲食店内１０に、複数のテーブルＴ１〜Ｔ１２が設置され、それらテーブルが設置されている部分をくまなく空調できるように、複数台の空調装置１１〜１６が設けられた場合のものである。それらの空調装置１１〜１６は、それぞれに内蔵された温度センサ（図示せず）により飲食店内１０の温度を検知しながら、各部の温度が快適に保たれるように個別に制御される。その際、管理コンピュータ１７によって設定温度が与えられ、その設定温度の上下所定の範囲内に室内温度が保たれるように制御される。
【００３５】
管理コンピュータ１７は、各空調装置１１〜１６と通信線で接続されており、また、図５に示すような設定値を保持しており、各空調装置１１〜１６の温度設定ができるようにしている。設定値としては、冷房，暖房別に、客室に客が居ないときの設定温度、客が居るときの設定温度、標準室温、設定変更時の刻み温度、温度の監視間隔等である。さらに、管理コンピュータ１７は、図６に示すように、それぞれの空調装置１１〜１６に対応させて、それぞれの空調装置１１〜１６の周辺にあるテーブルの番号を保持している。
【００３６】
空調装置の制御は次のようにして行う。すなわち、管理コンピュータ１７は、最初、どのテーブルにも客はいないため、客なし時の設定温度を各空調装置１１〜１６に送る。その結果、各空調装置１１〜１６は、冷房時であれば、標準より高めの室温になるように運転され、暖房時であれば、標準より低めの室温になるように運転されて、無駄な電力消費を抑制する。一方、客が来店したときは、テーブルに案内して注文を取り、オーダー入力端末１８に入力すると、管理コンピュータ１７は、オーダー入力端末１８から注文データを受信し、その中からテーブル番号を読み取って、そのテーブルに客が着席したことを認識する。
【００３７】
そこで、管理コンピュータ１７は、該当するテーブルが周辺にあるとして登録されている全ての空調装置に対して、客あり時の設定温度を送信する。そして、客が、例えば、テーブルＴ２に着席した場合、図６に示すデータを参照して、テーブルＴ２が周辺にあるとして登録されている空調装置１１，１２に対して、客あり時の設定温度、冷房時であれば、２５℃を送信する。その結果、空調装置１１，１２の設定温度が２５℃に変わり、その他は２８℃のままとなり、テーブルＴ２周辺の温度は、客がいない他の部分より強力に冷房されて適温に維持される。
【００３８】
ただ、そのように空調装置１１，１２の設定温度を２５℃に設定しても、空調装置１１，１２に内蔵された温度センサは、必ずしもテーブルＴ２周辺の温度を検知しているわけではなく、空調装置１１，１２の設定温度を変更しても、テーブルＴ２周辺が適温に保たれるかどうか正確には分からない。そこで、それぞれのテーブルの近傍に温度センサを別途設け、それらを管理コンピュータ１７に接続する。そして、前記監視間隔（１０分）で該当するテーブルの近傍に設けた温度センサの出力をチェックし、その値が標準室温を超えていたら設定温度を前記刻み温度（１℃）だけ下げる。それとは反対に、チェック温度が標準室温より低かったら設定温度を刻み温度だけ上げる。そのようにして、様々な条件下でもテーブルの近傍が適温に保たれるようにすることもできる。
【００３９】
さらに、注文した料理がコンロ等の熱源を使うものである場合、空調装置の利きが悪くなって、テーブル周辺が設定温度より高くなりがちである。そこで、オーダー入力端末から受信した注文内容に応じて設定温度を調整するようにしてもよい。そのようにすれば、熱源を使用するメニューを注文した場合でも、それを考慮した最適な温度制御が可能になる。
【００４０】
また、客が会計を済ませて帰ったときは、レジスター１９から管理コンピュータ１７に通知する。そして、それを受信した管理コンピュータ１７は、該当する空調装置の周辺にある他のテーブルの客をチェックし、それらにも客がいないとき、当該空調装置の温度設定を客なしの時の値に戻す。そのようにすれば、客がいなくなった部分に対して無駄に空調を続けることがなくなる。
【図面の簡単な説明】
【００４１】
【図１】第１実施例を示す図である。
【図２】第１実施例の設定値の一例を示す図である。
【図３】客の有無に応じた客室の設定温度を示す図である。
【図４】第２実施例を示す図である。
【図５】第２実施例の設定値の一例を示す図である。
【図６】各テーブルの客の有無に応じた空調装置の設定温度を示す図である。
【符号の説明】
【００４２】
１〜５，１１〜１６…空調装置
６，１７…管理コンピュータ
７，１８…オーダー入力端末
８，１９…レジスター
１０…飲食店内
Ｒ１〜Ｒ５…客室
Ｔ１〜Ｔ１２…テーブル
【図１】
2005180724.tif 000003
【図２】
2005180724.tif 000004
【図３】
2005180724.tif 000005
【図４】
2005180724.tif 000006
【図５】
2005180724.tif 000007
【図６】
2005180724.tif 000008